(57)【要約】【課題】吸収性物品において、止着部を斜め方向に引っ張った際に破損し難い構造にすること。【解決手段】人体の腹側に位置する腹側部１１と背側に位置する背側部１２とを有する本体部１０と、背側部１２の両側端部１２１、１２１から突出する一対の止着部２０、２０と、腹側部１１の外面に設けられ、一対の止着部２０、２０が着脱自在に止着される被止着部３０と、を備える止着式の使い捨て紙おむつ１であって、背側部１２の両側端部１２１、１２１は不織布からなり、一対の止着部２０、２０の各々は、上下並列に配された２つのファスニングテープ基材２１、２１を備え、ファスニングテープ基材２１、２１は、基端側２１Ａの角部のうち、止着部の中心から遠い方の角部が斜めに切り欠かれた切欠部２２を有する【選択図】図１
2010227507.tif 000002
【特許請求の範囲】
【請求項１】
人体の腹側に位置する腹側部と背側に位置する背側部とを有する本体部と、前記背側部の両側端部から突出する一対の止着部と、前記腹側部の外面に設けられ、前記一対の止着部が着脱自在に止着される被止着部と、を備える吸収性物品であって、
前記背側部の両側端部は、不織布からなり、
前記一対の止着部の各々は、上下並列に配された２つのファスニングテープ基材を備え、
前記ファスニングテープ基材は、基端側の角部のうち、前記止着部の中心から遠い方の角部が斜めに切り欠かれた切欠部を有することを特徴とする吸収性物品。
【請求項２】
前記切欠部は、直線状に切り欠かれていることを特徴とする請求項１に記載の吸収性物品。
【請求項３】
人体の腹側に位置する腹側部と背側に位置する背側部とを有する本体部と、前記背側部の両側端部から突出する一対の止着部と、前記腹側部の外面に設けられ、前記一対の止着部が着脱自在に止着される被止着部と、を備える吸収性物品であって、
前記背側部の両側端部は、不織布からなり、
前記一対の止着部の各々は、２つの鈍角及び３つの直角から成る五角形状のファスニングテープ基材を２つずつ備え、
前記２つのファスニングテープ基材は、２つの鈍角が基端部に位置すると共に、３つの直角が先端部及び止着部の基端部内側に位置するように配置されることを特徴とする吸収性物品。
【請求項４】
前記ファスニングテープ基材はプラスチックからなることを特徴とする請求項１〜３の何れか一項に記載の吸収性物品。
【発明の詳細な説明】
【技術分野】
【０００１】
本発明は、吸収性物品に関する。
【背景技術】
【０００２】
従来、紙おむつの１つとして、着用者に装着する為に、紙おむつの背側の左右両側から側方に張り出すように設けられた止着部と、止着部を止着させるように紙おむつの腹側に設けられた被止着部とが備えられた、止着式の使い捨て紙おむつが知られている（例えば、特許文献１参照。）。
この使い捨て紙おむつを人体に装着させる際には、紙おむつの腹側部分と背側部分とを、着用者の腹部と背部とに当てた後、前記止着部を、着用者の左右両脇からそれぞれ腹側に回り込ませて腹側の被止着部に係止させることにより、紙おむつを固定する。
こうした止着式の紙おむつにおいては、左右の各止着部を２つのファスニングテープから構成し、フィット性を上げるためクロス止めを行うことがある。このようなクロス止めで紙おむつを確実に固定することによって、装着者が動き回っても紙おむつが簡単に外れたり弛んだりしないようになっている。
【先行技術文献】
【特許文献】
【０００３】
【特許文献１】実開平６−７５４５２号公報
【発明の概要】
【発明が解決しようとする課題】
【０００４】
しかしながら、上記のように止着部のクロス止めを行う場合、装着の際にテープ部を斜め方向に引っ張るため、テープの取り付け部の不織布に力が集中して掛かりテープと不織布との境が破損しやすいという問題があった。
【０００５】
本発明の課題は、吸収性物品において、止着部を斜め方向に引っ張った際に破損し難い構造にすることである。
【課題を解決するための手段】
【０００６】
前記課題を解決するために、請求項１に記載の発明は、
人体の腹側に位置する腹側部と背側に位置する背側部とを有する本体部と、前記背側部の両側端部から突出する一対の止着部と、前記腹側部の外面に設けられ、前記一対の止着部が着脱自在に止着される被止着部と、を備える吸収性物品であって、
前記背側部の両側端部は、不織布からなり、
前記一対の止着部の各々は、上下並列に配された２つのファスニングテープ基材を備え、
前記ファスニングテープ基材は、基端側の角部のうち、前記止着部の中心から遠い方の角部が斜めに切り欠かれた切欠部を有することを特徴とする。
【０００７】
請求項２に記載の発明は、請求項１に記載の吸収性物品において、
前記切欠部は、直線状に切り欠かれていることを特徴とする。
【０００８】
請求項３に記載の発明は、
人体の腹側に位置する腹側部と背側に位置する背側部とを有する本体部と、前記背側部の両側端部から突出する一対の止着部と、前記腹側部の外面に設けられ、前記一対の止着部が着脱自在に止着される被止着部と、を備える吸収性物品であって、
前記背側部の両側端部は、不織布からなり、
前記一対の止着部の各々は、２つの鈍角及び３つの直角から成る五角形状のファスニングテープ基材を２つずつ備え、
前記２つのファスニングテープ基材は、２つの鈍角が基端部に位置すると共に、３つの直角が先端部及び前記止着部の基端部内側に位置するように配置されることを特徴とする。
【０００９】
請求項４に記載の発明は、請求項１〜３の何れか一項に記載の吸収性物品において、
前記ファスニングテープ基材はプラスチックからなることを特徴とする。
【発明の効果】
【００１０】
本発明によれば、上下並列に配された２つのファスニングテープ基材をクロスする方向に引っ張って止着する際、引っ張り方向に対して切り欠かれた切欠部の線分がより直角に近づくこととなるため、基端部が固着された領域の応力が分散されることとなって、止着部を斜め方向に引っ張った場合に破損しにくくなる。
【図面の簡単な説明】
【００１１】
【図１】本発明における使い捨て紙おむつを示す展開平面図である。
【図２】図１の使い捨て紙おむつを装着時の状態に組立てた斜視図である。
【図３】図１の使い捨て紙おむつの止着部を示す拡大模式図である。
【図４】止着部の変形例を示す図である。
【発明を実施するための形態】
【００１２】
以下、本発明の実施の形態を、図面を参照しながら詳細に説明する。但し、発明の範囲は図示例に限られない。
【００１３】
本実施形態における吸収性物品として使い捨て紙おむつ（以下、紙おむつという。）１を例示して説明する。
【００１４】
図１、２に示すように、紙おむつ１は、紙おむつ本体である本体部１０と、本体部１０を人体に装着するための止着部２０、２０と、止着部２０を係止させるための被止着部３０とを備えて構成されている。すなわち、紙おむつ１は、止着部２０、２０を被止着部３０に止着することで装着する止着式の紙おむつである。
【００１５】
紙おむつ１は、装着時に人体の股部を腹側から背側にかけて覆うように形成されている。
具体的には、本体部１０の一方の端部が人体の腹側に位置する腹側部１１を形成し、他方の端部が人体の背側に位置する背側部１２を形成し、腹側部１１と背側部１２との間が人体の股下に位置する股下部１３を形成する。
また、腹側部１１において股下部１３よりも両外側に延出した腹側延出部１１１、１１１と、背側部１２において股下部１３よりも両外側に延出した背側延出部（両側端部）１２１、１２１とは、紙おむつ１が装着された際に胴周り部１４を形成する。この際、背側部１２の胴周り方向に沿った縁部中央には、糸ゴム等の弾性部材１４１が幅方向に沿って設けられ、この弾性部材１４１により平面ギャザーが形成され、本体部１０は、着用者の胴周りにフィットするように伸縮自在な構成となっている。なお、この平面ギャザーを有さない構成とすることもできる。
また、股下部１３の両縁部は、腹側部１１から背側部１２に亘って、装着時に人体の脚周りを囲む脚周り部１５、１５を形成する。この脚周り部１５、１５には、その湾曲形状に合わせて糸ゴム等の弾性部材１５１がそれぞれ設けられ、この弾性部材１５１により平面ギャザーが形成され、着用者の脚周りに伸縮自在にフィットし、横漏れを防止するようになっている。なお、弾性部材１５１を、脚周り部１５、１５の湾曲形状に合わせず、直線状に配置して平面ギャザーを形成することとしても良い。
【００１６】
本体部１０は、人体との接触面側に設けられる透液性の不織布からなるトップシート１０ａと、装着時に人体との接触面と反対側の外部側に設けられる不透液性のバックシート１０ｂと、トップシート１０ａとバックシート１０ｂとの間に介装される吸収体１０ｃと、トップシート１０ａ側の吸収体１０ｃの両側部に、本体部１０の長手方向に沿って備えられるギャザーシート１０ｄ、１０ｄと、により主に構成される。
【００１７】
トップシート１０ａは、紙おむつ１を装着した際に人体に接する面に設けられ、体液を受けて、吸収体１０ｃまで輸送する役割を果たす、透液性のシートである。
トップシート１０ａは、不織布が好適に用いられ、具体的には、例えば、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用い得る。特に、スパンボンド法、エアスルー法によって加工された、目付け１０〜４０ｇ／ｍ２の不織布を用いることが好ましい。
【００１８】
バックシート１０ｂは、紙おむつ１を装着した際に人体に接する面と反対側の面に設けられ、体液などの紙おむつ１外部への染み出し、漏れ出しを防ぐ役割を果たす、不透液性のシートである。
バックシート１０ｂも、トップシート１０ａと同様に不織布が好適に用いられる。なお、バックシート１０ｂは、例えば、ポリエチレンやポリプロピレン等の少なくとも遮水性を有するシート材であって、ムレ防止の観点から透湿性を有するシート材であることが好ましい。特に、スパンボンド法、エアスルー法によって加工された、目付け１０〜３０ｇ／ｍ２の不織布を用いることが好ましい。
【００１９】
なお、トップシート１０ａ及びバックシート１０ｂの間に、目付け１０〜４０ｇ／ｍ２のポリエチレンフィルムからなるシート材を挟むこととしても良い。
また、トップシート１０ａ及びバックシート１０ｂとして用いられる不織布は、繊維に一定の方向性（流れ）を有し、本実施形態の紙おむつ１においては、図３に示すように、その不織布の繊維の流れが腹側部１１から背側部１２に向かう方向と一致するように配置されている。
【００２０】
吸収体１０ｃは、例えば、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙、不織布、孔開きシート（図示略）等により覆われて構成されている。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
吸収体１０ｃは、単層構造であっても良いし、複数層に分かれた構造でも構わない。吸収体１０ｃは、人体の腹側部１１から両脚の間の股下部１３を通り背側部１２に亘る位置に装着されている。
【００２１】
ギャザーシート１０ｄ、１０ｄは、トップシート１０ａ側において、吸収体１０ｃの長手方向に沿った両側部に、腹側部１１から背側部１２に亘ってそれぞれ備えられている。
このギャザーシート１０ｄ、１０ｄの幅方向外側の部分は、吸収体１０ｃの側方でトップシート１０ａの上面に固着されている。また、このギャザーシート１０ｄ、１０ｄの幅方向内側の部分は、トップシート１０ａに固定されておらず、その長手方向に沿って複数の糸ゴムが略平行に備えられており、断面略く字状及び逆く字状に立ち上がって着用者の体型に合わせて伸縮自在に変形可能な立体ギャザーが形成されている。
なお、ギャザーシート１０ｄ、１０ｄを設けない構成とすることも可能である。
【００２２】
止着部２０、２０は、背側部１２の背側延出部１２１、１２１の左右側方において、それぞれ外側に向かって突出して備えられている。
本実施形態においては、左右の止着部２０、２０は、それぞれ、上下並列に配された２枚のファスニングテープ基材２１、２１を備えている。
ファスニングテープ基材２１、２１は、例えばポリエチレンやポリプロピレン等の各種のプラスチックフィルムを、４０〜３００μｍ、特に好ましくは６０〜２００μｍの厚さに形成した基材シートからなり、その基端部２１Ａが紙おむつ１に接合され、先端部２１Ｂの内面（被止着部３０と対向する面）に、面ファスナのオス材の係止要素であるファスニングテープ２３が設けられている。
なお、ファスニングテープ基材２１の基端部２１Ａは、トップシート１０ａやバックシート１０ｂの内面または外面に貼り付けても良いし、トップシート１０ａとバックシート１０ｂとの間に挟んで固定しても良い。
【００２３】
ここで、ファスニングテープ基材２１の形状について具体的に説明する。
ファスニングテープ基材２１は、基端部２１Ａ側の角部のうち、止着部２０、２０の中心から遠い方の角部が斜めに直線状に切り欠かれた切欠部２２を有する。
すなわち、ファスニングテープ基材２１は、図１〜３に示すように、３つの直角部分と２つの鈍角部分から成る五角形状に形成されており、２つの鈍角部分が基端部２１Ａ位置すると共に、３つの直角部分が先端部２１Ｂ及び止着部２０の基端部２１Ａの内側に位置するように配置される。なお、「止着部２０の基端部２１Ａの内側」とは、２つのファスニングテープ基材２１、２１が対向する側のことである。
ファスニングテープ基材２１は、この切欠部２２を有することにより、その基端部２１Ａの形状が、背側延出部１２１、１２１における上記した不織布の流れと並行しないようになっており、装着時にファスニングテープ基材２１、２１を互いに交差する方向に引っ張った際に、引っ張り方向（図３参照。）と切欠部２２の傾斜部分とがより直角に近づくことで不織布の流れに沿って背側延出部１２１、１２１が裂けるのが防止できるようになっている。
この際、切欠部２２の傾斜角度は、装着時にファスニングテープ基材２１、２１を互いに交差する方向に引っ張る際の引っ張り方向と略直交する角度であることが好ましい。
【００２４】
被止着部３０は、腹側部１１における外面であるバックシート１０ｂ側に備えられる。
被止着部３０は、止着部２０、２０のファスニングテープ２３を係止するためのメス材の係止要素である係止層３１を備えている。
係止層３１は、基材シートにループ状の繊維であるループ材（図示省略。）が配置されて構成されている。
このループ材は、ファスニングテープ２３の表面に形成された、多数の突起（鉤状、きのこ状、錨状等）が形成されたフック材と機械的に係合する。すなわち、ループ材の表面にフック材を重ね合わせ、フック材の多数の突起をループ材の表面に係合させることにより、両部材を着脱可能な状態に、且つ、強固に固着させることができる。
【００２５】
なお、ファスニングテープ２３のフック材は、ループ材以外にも、織布、不織布、フェルト、パイル等の繊維状の表面を有する素材にも係合させることが可能である。具体的には、例えば、ポリエチレン、ポリプロピレン、ポリエチレンテレフタレート、ナイロンなど、広く知られた汎用性の高い可塑性素材からなる単組成の素材若しくは複合組成の素材を用いることができる。なお、この場合、長繊維で構成されるスパンボンド不織布を用いるのが好ましい。これは、短繊維であるポイントボンド不織布やエアスルー不織布では繊維の長さが短いため抜けやすく、強度が不足するからであって、連続長繊維で構成され、カット面からのほつれが少なく、毛羽立ちによる繊維の脱落が少ないスパンボンド不織布が力学的性能や生産性といった点で優れるからである。
【００２６】
次に、紙おむつ１の止着部２０、２０の固定方法について説明する。
着用者は、紙おむつ１を装着する場合、紙おむつ１の腹側部１１を腹側に、背側部１２を背側に、股下部１３を股下に当接させ、背側部１２の背側延出部１２１、１２１に設けられた止着部２０、２０を、腰回りを亘って腹側部１１に設けられた被止着部３０に係止させることによって紙おむつ１を装着する。
この際、各止着部２０の上下並列に配された２枚のファスニングテープ基材２１、２１を互いに交差させて止着することで締め付け強度等の調整を行う。
ファスニングテープ基材２１、２１の切欠部２２は、ファスニングテープ基材２１、２１が互いに交差する方向に引っ張る際の引っ張り方向に対して略直交することとなるため、当該角部が固着された領域の応力が分散される。
【００２７】
以上にように、本実施の形態による紙おむつ１によれば、装着時にファスニングテープ基材２１、２１を互いに交差する方向に引っ張った際に、引っ張り方向と切欠部２２の傾斜部分とがより直角に近づくように切欠部２２が位置することとなるため、背側延出部１２１、１２１において基端部２１Ａが固着された領域の応力が分散され、ファスニングテープ基材２１、２１を互い交差する方向に引っ張った場合の背側延出部１２１の破損がし難くなる。
また、切欠部２２の切り欠き部分が直線状になっているため、矩形のファスニングテープ基材２１を、例えば、カッター等で切断するだけで形成できるので、製造が容易である。
【００２８】
なお、本発明は、上記実施の形態に限定されるものではない。
例えば、上記実施形態においては、ファスニングテープ基材２１は基端部２１Ａに切欠部２２を１つ設けた五角形状であるとして説明しているが、図４（ａ）に示すように、基端部２１Ａに切欠部２２を２つ設けた六角形状としても良い。この場合、２つの切欠部２２、２２の寸法は適宜設定可能であり、同一であっても、異なっていても良い。
また、上記実施形態においては切欠部２２の形状を直線状としているが、例えば、曲線状（図４（ｂ）（ｃ）参照。）や、ぎざぎざ状（図４（ｄ）参照。）としても良い。
【００２９】
また、上記実施形態においては、トップシート１０ａ及びバックシート１０ｂの全面が不織布であるものとして説明しているが、背側延出部１２１、１２１のみが不織布であれば良い。
具体的に、背側延出部１２１、１２１以外の部分は、例えば、ポリエチレンやポリプロピレン等のオレフィン系樹脂中に無機充填剤を溶融混練してシートを成形した後、一軸または二軸方向に延伸することにより得られる微多孔性シート材や、不透液性を有するフィルム層と、通気性を有する不織布層からなるラミ不織布を用いることができる。ラミ不織布とは、例えばポリエチレンシート等に不織布を積層した、ラミネート不織布と呼ばれる不織布のことであり、不透液性と通気性を併せ持つ不織布である。
【００３０】
［実施例］
以下、本発明を適用した紙おむつ１の止着部２０に対する引っ張り試験特性評価を、実施例に基づいて説明する。但し、本発明はこれに限定されるものではない。
【００３１】
（止着部の組成及び形状）
本実施例においては、止着部として、縦３３ｍｍ、横１０１ｍｍ、厚さ１２５μｍのプラスチックからなる長方形状のフィルムに、下記２種類の異なる切欠部を設け、それぞれフィルムＩ、フィルムＩＩとして使用した。また、比較例として、切欠部を設けないフィルムをフィルムＩＩＩとして使用した。
＜切欠部の寸法＞
切欠部の縦の長さをａ、横の長さをｂとする。（図３参照。）
フィルムＩ  ：ａ≦ｂ（ａ＝１０ｍｍ、ｂ＝２５ｍｍ）
フィルムＩＩ：ａ≧ｂ（ａ＝２５ｍｍ、ｂ＝１０ｍｍ）
【００３２】
（引っ張り試験評価）
次に、上記のように製造した３種類のフィルムを、目付け１５ｇ／ｍ２のＳＭＭＳ不織布、及び目付け１８ｇ／ｍ２のスパンボンド不織布に固定し、引っ張り試験を実施した。
引っ張り試験の測定方法は、チャック間５００ｍｍとし、３００ｍｍ／ｍｉｎで、各フィルムを切欠部に対して直角方向に引っ張り、破損が起こった時点の力を引張強度（Ｎ）として測定した。
その結果、各フィルムの引張強度は、フィルムＩでは４４．５６Ｎ、フィルムＩＩでは４８．９５Ｎであった。また、フィルムＩＩＩでは４２．０８Ｎであった。
従って、切欠部を設けた場合（フィルムＩ及びフィルムＩＩ）には、切欠部を設けない場合（フィルムＩＩＩ）と比較して強度が向上することがわかる。
【符号の説明】
【００３３】
１    吸収性物品（使い捨て紙おむつ）
１０  本体部
１１  腹側部
１２  背側部
１３  股下部
２０  止着部
２１  ファスニングテープ基材
２１Ａ  基端部
２１Ｂ  先端部
２２  切欠部
２３  ファスニングテープ
３０  被止着部
３１  係止層
【図１】
2010227507.tif 000003
【図２】
2010227507.tif 000004
【図３】
2010227507.tif 000005
【図４】
2010227507.tif 000006